【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
（ａ）約４０〜８５重量パーセントの１種または複数の半結晶性ポリアミドと、約１５〜６０重量パーセントの、カルボン酸成分および脂肪族ジアミン成分から誘導される繰り返し単位を有する１種または複数の非晶質ポリアミドとのブレンドを含み、前記カルボン酸成分は、前記カルボン酸成分に基づいて、少なくとも５５モルパーセントのイソフタル酸を含み、前記脂肪族ジアミン成分は、ヘキサメチレンジアミン、ヘキサメチレンジアミンと２−メチルペンタメチレンジアミンの混合物、およびヘキサメチレンジアミンと２−エチルテトラメチレンジアミンの混合物からなる群から選択され；前記脂肪族ジアミン成分は、前記脂肪族ジアミン成分に基づいて、少なくとも４０モルパーセントのヘキサメチレンジアミンを含有する、約３０〜８０重量パーセントのポリアミド成分；
（ｂ）式（Ｉ）のホスフィネート；式（ＩＩ）のジホスフィネート；ならびに（Ｉ）および／または（ＩＩ）のポリマー
【化１】
2012522116.tif 000001
（式中、Ｒ1およびＲ2は、同一であるかまたは異なり、直鎖状もしくは分枝状のＣ1〜Ｃ6アルキル、および／またはアリールであり；Ｒ3は、直鎖状もしくは分枝状のＣ1〜Ｃ10アルキレン、Ｃ6〜Ｃ10−アリーレン、−アルキルアリーレンまたは−アリールアルキレンであり；Ｍは、カルシウムイオン、マグネシウムイオン、アルミニウムイオンおよび／または亜鉛イオンであり；ｍは２〜３であり；ｎは、１または３であり；ｘは、１または２である）
の１種または複数を含む少なくとも１種の難燃剤；
（ｃ）ホウ酸亜鉛；ならびに
（ｄ）約１０〜約６０重量パーセントの、非円形断面を有するガラス繊維
を含み、
ここで、（ａ）および（ｄ）の重量パーセントは、前記組成物の全重量に基づいており；難燃剤（ｂ）は、ポリアミド（ａ）の重量の約１０〜約４５パーセントである量で存在しており；ホウ酸亜鉛（ｃ）は、難燃剤（ｂ）の重量の約０．５〜約５パーセントである量で存在している、難燃性ポリアミド樹脂組成物。
【請求項２】
請求項１に記載の組成物を含む物品。
【手続補正２】
【補正対象書類名】明細書
【補正対象項目名】００７０
【補正方法】変更
【補正の内容】
【００７０】
【表１】
2012522116.tif 000002
本出願は、特許請求の範囲に記載の発明を含め、以下の発明を包含する。
（１）    （ａ）約４０〜８５重量パーセントの１種または複数の半結晶性ポリアミドと、約１５〜６０重量パーセントの、カルボン酸成分および脂肪族ジアミン成分から誘導される繰り返し単位を有する１種または複数の非晶質ポリアミドとのブレンドを含み、前記カルボン酸成分は、前記カルボン酸成分に基づいて、少なくとも５５モルパーセントのイソフタル酸を含み、前記脂肪族ジアミン成分は、ヘキサメチレンジアミン、ヘキサメチレンジアミンと２−メチルペンタメチレンジアミンの混合物、およびヘキサメチレンジアミンと２−エチルテトラメチレンジアミンの混合物からなる群から選択され；前記脂肪族ジアミン成分は、前記脂肪族ジアミン成分に基づいて、少なくとも４０モルパーセントのヘキサメチレンジアミンを含有する、約３０〜８０重量パーセントのポリアミド成分；
（ｂ）式（Ｉ）のホスフィネート；式（ＩＩ）のジホスフィネート；ならびに（Ｉ）および／または（ＩＩ）のポリマー
【化１】
2012522116.tif 000003
（式中、Ｒ1およびＲ2は、同一であるかまたは異なり、直鎖状もしくは分枝状のＣ1〜Ｃ6アルキル、および／またはアリールであり；Ｒ3は、直鎖状もしくは分枝状のＣ1〜Ｃ10アルキレン、Ｃ6〜Ｃ10−アリーレン、−アルキルアリーレンまたは−アリールアルキレンであり；Ｍは、カルシウムイオン、マグネシウムイオン、アルミニウムイオンおよび／または亜鉛イオンであり；ｍは２〜３であり；ｎは、１または３であり；ｘは、１または２である）
の１種または複数を含む少なくとも１種の難燃剤；
（ｃ）ホウ酸亜鉛；ならびに
（ｄ）約１０〜約６０重量パーセントの、非円形断面を有するガラス繊維
を含み、
ここで、（ａ）および（ｄ）の重量パーセントは、前記組成物の全重量に基づいており；難燃剤（ｂ）は、ポリアミド（ａ）の重量の約１０〜約４５パーセントである量で存在しており；ホウ酸亜鉛（ｃ）は、難燃剤（ｂ）の重量の約０．５〜約５パーセントである量で存在している、難燃性ポリアミド樹脂組成物。
（２）  前記ポリアミド成分中、前記半結晶性ポリアミドは、ポリアミドの重量に基づいて約５０〜８５重量パーセントの間の量で存在し、非晶質ポリアミドは、ポリアミドの重量に基づいて約１５〜５０重量パーセントの間の量で存在する、（１）に記載の組成物。
（３）  前記少なくとも１種の難燃剤（ｂ）が、アルミニウムジエチルホスフィネートおよび／またはアルミニウムメチルエチルホスフィネートである、（１）に記載の組成物。
（４）  前記１種または複数の半結晶性ポリアミドが、ポリアミド６；ポリアミド６，６；ポリアミド４，６；ポリアミド６，１０；ポリアミド６，１２；ポリアミド１１；ポリアミド１２；ポリアミド９，１０；ポリアミド９；１２；ポリアミド９，１３；ポリアミド９，１４；ポリアミド９，１５；ポリアミド６，１６；ポリアミド９，３６；ポリアミド１０，１０；ポリアミド１０，１２；ポリアミド１０，１３；ポリアミド１０，１４；ポリアミド１２，１０；ポリアミド１２，１２；ポリアミド１２，１３；ポリアミド１２，１４；ポリアミド６，１４；ポリアミド６，１３；ポリアミド６，１５；ポリアミド６，１６；ポリアミド６，１３；ポリ（ｍ−キシリレンアジパミド）（ポリアミドＭＸＤ，６）；ポリ（ドデカメチレンテレフタルアミド）（ポリアミド１２，Ｔ）；ポリ（デカメチレンテレフタルアミド）（ポリアミド１０，Ｔ）；ポリ（ノナメチレンテレフタルアミド）（ポリアミド９，Ｔ）；ヘキサメチレンアジパミド／ヘキサメチレンテレフタルアミドコポリアミド（ポリアミド６，Ｔ／６，６）；ヘキサメチレンテレフタルアミド／２−メチルペンタメチレンテレフタルアミドコポリアミド（ポリアミド６，Ｔ／Ｄ，Ｔ）；ヘキサメチレンアジパミド／ヘキサメチレンテレフタルアミド／ヘキサメチレンイソフタルアミドコポリアミド（ポリアミド６，６／６，Ｔ／６，Ｉ）；ポリ（カプロラクタムヘキサメチレンテレフタルアミド）（ポリアミド６／６，Ｔ）からなる群から選択される、（１）に記載の組成物。
（５）  １種または複数の非晶質ポリアミドが、ポリ（ヘキサメチレンテレフタルアミド／ヘキサメチレンイソフタルアミド）、ポリ（ヘキサメチレンイソフタルアミド）、ポリ（メタキシリレンイソフタルアミド／ヘキサメチレンイソフタルアミド）、ポリ（メタキシリレンイソフタルアミド／メタキシレンテレフタルアミド／ヘキサメチレンイソフタルアミド）、ポリ（メタキシリレンイソフタルアミド／ドデカメチレンイソフタルアミド）、ポリ（メタキシリレンイソフタルアミド）、ポリ（ジメチルジアミノジシクロヘキシルメタンイソフタルアミド／ドデカンアミド）、ポリ（ジメチルジアミノジシクロヘキシルメタンイソフタルアミド／ジメチルジアミノジシクロヘキシルメタンテレフタルアミド／ドデカンアミド）、ポリ（ヘキサメチレンイソフタルアミド／ジメチルジアミノジシクロヘキシルメタンイソフタルアミド／ドデカンアミド）、ポリ（ヘキサメチレンイソフタルアミド／ヘキサメチレンテレフタルアミド／ジメチルジアミノジシクロヘキシルメタンイソフタルアミド／ジメチルジアミノジシクロヘキシルメタンテレフタルアミド）、ポリ（ヘキサメチレンイソフタルアミド／ヘキサメチレンテレフタルアミド／ジメチルジアミノジシクロヘキシルメタンイソフタルアミド／ジメチルジアミノジシクロヘキシルメタンテレフタルアミド／ドデカンアミド）、およびポリ（ジメチルジアミノジシクロヘキシルメタンイソフタルアミド／ジメチルジアミノジシクロヘキシルメタンドデカンアミド）からなる群から選択される、（１）に記載の組成物。
（６）  前記ホウ酸亜鉛（ｃ）が、（ＺｎＯ）2（Ｂ2Ｏ3）3（Ｈ2Ｏ）3.5、（ＺｎＯ）4（Ｂ2Ｏ3）1（Ｈ2Ｏ）1、（ＺｎＯ）2（Ｂ2Ｏ3）3（Ｈ2Ｏ）0、およびそれらの混合物からなる群から選択される式からなる、（１）に記載の組成物。
（７）  前記半結晶性ポリアミドが、ポリ（ドデカメチレンテレフタルアミド）、ポリ（デカメチレンテレフタルアミド）、ポリ（ノナメチレンテレフタルアミド）、ヘキサメチレンアジパミド／ヘキサメチレンテレフタルアミドコポリアミド、ヘキサメチレンテレフタルアミド／２−メチルペンタメチレンテレフタルアミドコポリアミド、ヘキサメチレンアジパミド／ヘキサメチレンテレフタルアミド／ヘキサメチレンイソフタルアミドコポリアミドおよびポリ（カプロラクタム−ヘキサメチレンテレフタルアミド）からなる群から選択される半芳香族ポリアミドである、（１）に記載の組成物。
（８）  前記非円形断面を有するガラス繊維が、約３５〜約６０重量パーセントで存在する、（１）に記載の組成物。
（９）  （１）に記載の組成物を含む物品。